(57)【要約】      （修正有）【課題】操作が容易で使用上便利であるとともに、好ましいマッサージ感が得られ、かつ理学療法を受ける者が選択的に自身で操作できる理学療法用エネルギー発生装置を提供する。  【解決手段】第１出力端１１１と第２出力端１１２とを具え、理学療法用のエネルギーを出力する制御手段１１と、該第１出力端に電気的に接続し、理学療法を受ける患者に接触する第１導電手段１２と、該第２出力端に電気的に接続し、患者に施術する理学療法士が足で踏むために供する複数の第２導電手段１３とによって、低電位、低周波数の交流電気信号である理学療法用エネルギーを出力する理学療法用エネルギー発生装置を構成する。【選択図】図１
0003186084.tif 000002
【実用新案登録請求の範囲】
【請求項１】
第１出力端と第２出力端とを具え、理学療法用のエネルギーを出力する制御手段と、
該第１出力端に電気的に接続し、理学療法を受ける患者に接触する第１導電手段と、
該第２出力端に電気的に接続し、患者に施術する理学療法士が足で踏むために供する複数の第２導電手段と、を具えることを特徴とする理学療法用エネルギー発生装置。
【請求項２】
前記第１導電手段が、銅とクロムとを含む金属繊維を編んでなる導電性シートであることを特徴とする請求項１に記載の理学療法用エネルギー発生装置。
【請求項３】
前記第２導電手段が、絶縁基部上に銅か、もしくは導電性ゴムによって導電面を形成してなることを特徴とする請求項１に記載の理学療法用エネルギー発生装置。
【請求項４】
前記制御手段が、出力する理学療法用エネルギーの強度を調整する調整つまみを具えることを特徴とする請求項１に記載の理学療法用エネルギー発生装置。
【請求項５】
前記制御手段が、リモートコントローラによって、出力する理学療法用エネルギーの強度を調整することを特徴とする請求項１に記載の理学療法用エネルギー発生装置。
【請求項６】
前記制御手段の第２出力端に、
握持端とマッサージ端とを有し、該マッサージ端には凹状の取付溝を形成した握持部と、
該握持部の該取付溝内に設け、該制御手段の該第２出力端から出力される理学療法用エネルギーを伝導する導電シートと、
該導電シート上に設ける軟質導電部と、
該握持部のマッサージ端に嵌着し、該軟質導電部を該導電シート上に固定する固定リングと、を具えてなるマッサージ握持部を電気的に接続することを特徴とする請求項１に記載の理学療法用エネルギー発生装置。
【請求項７】
前記握持部の外周面に環状の固定リブを一体に形成し、該固定リングの内壁には、該固定リングを該握持部の該マッサージ端に嵌着した場合に該握持部の該固定リブに対応する位置に環状溝を形成することを特徴とする請求項６に記載の理学療法用エネルギー発生装置。
【請求項８】
前記導電シートが銅材によってなり、該軟質導電部が濡らしたスポンジ、もしくは木綿によってなることを特徴とする請求項６に記載の理学療法用エネルギー発生装置。
【請求項９】
前記軟質導電部を木綿、もしくは不織布によってなる被覆布で被覆し、かつ該被覆布を介して該軟質導電部を固該定リングと該握持部との間に固定することを特徴とする請求項８に記載の理学療法用エネルギー発生装置。
【考案の詳細な説明】
【技術分野】
【０００１】
この考案は、保健用機器に関し、特に理学療法用のエネルギーを発生する、理学療法用エネルギー発生装置に関する。
【背景技術】
【０００２】
文明社会の進歩に伴い、人類の生活様式も繁忙を極めるようになった。人々の生活は、リズムが緊密に刻まれるようになった。このため多くの者が仕事で多大な労力を投じるという過去の状況は大幅に改善されたものの、生活のリズムが緊密なことは、過去にもまして心身の疲労を招くことになった。そこで、生理機能、もしくは心理の健康を保つために、師範の保健用機器に頼るようになった。
【０００３】
但し、上述する保健用機器の多くは、理学療法に携わる者に提供され、理学療法士が患者に対して物理的手段を加え、疲労などの状態から回復させるために用いられている。然るに、従来のこれら保健用機器は、操作性において不便であり、その効果も十分でない。これら点において改善の余地を残す。
【考案の概要】
【考案が解決しようとする課題】
【０００４】
この考案は、操作が容易で使用上便利であるとともに、好ましいマッサージ感が得られ、かつ理学療法を受ける者が選択的に自身で操作できる理学療法用エネルギー発生装置を提供することを課題とする。  
【課題を解決するための手段】
【０００５】
そこで本考案者は、従来の保健用機器に見られる従来の欠点に鑑み鋭意研究を重ねた結果、低電位、低周波数の交流電気信号である理学療法用エネルギーを出力する理学療法用エネルギー発生装置であって、第１出力端と第２出力端とを具え、理学療法用のエネルギーを出力する制御手段と、該第１出力端に電気的に接続し、理学療法を受ける患者に接触する第１導電手段と、該第２出力端に電気的に接続し、患者に施術する理学療法士が足で踏むために供する複数の第２導電手段と、を具える理学療法用エネルギー発生装置によって課題を解決できる点に着眼し、係る知見に基づいて本考案を完成させた。
【０００６】
以下この考案について具体的に説明する。請求項１に記載する理学療法用エネルギー発生装置は、第１出力端と第２出力端とを具え、理学療法用のエネルギーを出力する制御手段と、該第１出力端に電気的に接続し、理学療法を受ける患者に接触する第１導電手段と、  該第２出力端に電気的に接続し、患者に施術する理学療法士が足で踏むために供する複数の第２導電手段と、を具える。
【０００７】
請求項２に記載する理学療法用エネルギー発生装置は、請求項１における第１導電手段が、銅とクロムとを含む金属繊維を編んでなる導電性シートである。
【０００８】
請求項３に記載する理学療法用エネルギー発生装置は、請求項１における第２導電手段が、絶縁基部上に銅か、もしくは導電性ゴムによって導電面を形成してなる。
【０００９】
請求項４に記載する理学療法用エネルギー発生装置は、請求項１における制御手段が、出力する理学療法用エネルギーの強度を調整する調整つまみを具える。
【００１０】
請求項５に記載する理学療法用エネルギー発生装置は、請求項１における制御手段が、リモートコントローラによって、出力する理学療法用エネルギーの強度を調整する。
【００１１】
請求項６に記載する理学療法用エネルギー発生装置は、請求項１における制御手段の第２出力端に握持端とマッサージ端とを有し、該マッサージ端には凹状の取付溝を形成した握持部と、該握持部の該取付溝内に設け、該制御手段の該第２出力端から出力される理学療法用エネルギーを伝導する導電シートと、該導電シート上に設ける軟質導電部と、該握持部のマッサージ端に嵌着し、該軟質導電部を該導電シート上に固定する固定リングと、を具えてなる。
【００１２】
請求項７に記載する理学療法用エネルギー発生装置は、請求項６における握持部の外周面に環状の固定リブを一体に形成し、該固定リングの内壁には、該固定リングを該握持部の該マッサージ端に嵌着した場合に該握持部の該固定リブに対応する位置に環状溝を形成する。
【００１３】
請求項８に記載する理学療法用エネルギー発生装置は、請求項６における導電シートが銅材によってなり、該軟質導電部が濡らしたスポンジ、もしくは木綿によってなる。
【００１４】
請求項９に記載する理学療法用エネルギー発生装置は、請求項８における軟質導電部を木綿、もしくは不織布によってなる被覆布で被覆し、かつ該被覆布を介して該軟質導電部を固該定リングと該握持部との間に固定する。
【図面の簡単な説明】
【００１５】
【図１】この考案による理学療法用エネルギー発生装置を示した斜視図である。
【図２】この考案による理学療法用エネルギー発生装置の使用態様を示した説明図である。
【図３】この考案におけるマッサージ握持部の分解図である。
【図４】図３に開示するマッサージ握持部の断面図である。
【図５】図３に開示するマッサージ握持部の他の固定方式を示した説明図である。
【考案を実施するための形態】
【００１６】
この考案は、操作が容易で使用上便利であるとともに、好ましいマッサージ感が得られ、かつ理学療法を受ける者が選択的に自身で操作できる理学療法用エネルギー発生装置を提供するものであって、低電位、低周波数の交流電気信号である理学療法用エネルギーを出力する理学療法用エネルギー発生装置であって、第１出力端と第２出力端とを具え、理学療法用のエネルギーを出力する制御手段と、該第１出力端に電気的に接続し、理学療法を受ける患者に接触する第１導電手段と、該第２出力端に電気的に接続し、患者に施術する理学療法士が足で踏むために供する複数の第２導電手段と、を具える。係る理学療法用エネルギー発生装置の構造と特徴を詳述するために、具体的な実施例を挙げ、図面を参照にして以下に説明する。
【実施例】
【００１７】
図１に、この考案による理学療法用エネルギー発生装置１０を開示する。理学療法用エネルギー発生装置１０は、図２に開示するように理学療法士３３が患者３２に対して施術を行うためのベッド３１を設置した場所での使用に適する。
【００１８】
図１に開示するように、理学療法用エネルギー発生装置１０は、制御手段１１と、第１導電手段１２と、複数の第２導電手段１３と、マッサージ握持部２０とによってなる。
【００１９】
第１導電手段１２は、銅とクロムを含有する金属繊維を編んでなる導電性のシートである。第２伝動手段１３は絶縁基部１３１上に銅か、もしくは導電性ゴムによって形成する導電面１３２を有する。マッサージ握持部２０については後述する。
【００２０】
制御手段１１は、第１出力端１１１と、第２出力端１１２と、調整つまみ１１３とを具える。第１出力端１１１と第２出力端１１２は、患者３２に対して理学療法を行うために必要とする理学療法用エネルギーを出力する。調整つまみ１１３は、施す理学療法の状況に応じて出力する理学療法用エネルギーの強度を調整し、理学療法の効果を高めるために供する。当然のことながら、当業者の熟知するように、理学療法用のエネルギーは、別途リモートコントローラ（図示しない）を用いて、遠隔操作によって制御手段１１を制御してもよい。
【００２１】
理学療法用エネルギーとは、低電位、低周波数の交流電気信号であって、患者の身体のつぼを刺激して、電子針灸に類似した効果を達成する。
【００２２】
図２に開示するように、第１導電手段１２は、制御手段１１の第１出力端１１１に電気的に接続し、ベッド３１上の患者３２に接触する位置に設置する。また、複数の第２導電手段１３は、制御手段１１の第２出力端１１２に接続し、ベッド１３の周囲に設置して理学療法士３３が足で踏むために供する。よって、制御手段１１から出力する理学療法用のエネルギーは、理学療法士３３が患者３２の身体のツボを押す際に、理学療法士３３の身体、腕、手を経由して患者３２に流れることから、好ましい理学療法の効果を達成することができる。理学療法士３３が患者３２に対して施術する部位を変更する場合は、ベッド１３の周囲に設置した他の第２導電手段１３に移る。よって、理学療法を施す部位を必要に応じて随時変更することができる。
【００２３】
また、理学療法を施す場合、理学療法士３３、もしくは患者３２は選択的に自身でマッサージ握持部２０を握持してマッサージすることができる。この場合、第２導電手段１３を使用する必要がなく、マッサージ握持部２０を制御手段１１の第２出力端に接続して代替とする。
【００２４】
図３、図４に開示するように、マッサージ握持部２０は、握持部２１と、例えば銅材によってなる導電シート２２と、例えば濡らしたスポンジ、もしくは木綿によってなる軟質導電部２３と、固定リング２４とによってなる。また、握持部２１には、制御手段１１が出力する理学療法用エネルギーの強弱を調整するための減少スイッチ２１１と増大スイッチ２１２とを設ける。
【００２５】
握持部２１は、握持端２１３と、マッサージ端２１４とを有し、マッサージ端２１４には凹状の取付溝２１５を形成する。また、握持部２１の外周面には、環状の固定リブ２１６を一体に形成し、固定リング２４の内壁には、固定リング２１を握持部２１のマッサージ端２１４に嵌着した場合に握持部２１の固定リブ２１６に対応する位置に環状溝２１４を形成する。よって、固定リング２１を握持部２１のマッサージ端２１４に嵌着した場合、安定した固定が得られる。但し、固定リブ２１６と環状溝２１４とに限定することなく、当業者の熟知するその他方法で均等の効果の得られるその他方法を選択的に用いてもよく、この場合は、固定リブ２１６と環状溝２１４と形成する必要はない。
【００２６】
導電シート２２は、握持部２１の取付溝２１５内に設け、制御手段１１の第２出力端１１２から出力される理学療法用エネルギーを伝導する。
【００２７】
軟質導電部２３も  導電シート２２と同様に、握持部２１の取付溝２１５内に設ける。さらに、固定リング２１を握持部２１のマッサージ端２１４に嵌着して軟質導電部２３を  導電シート２２上に固定する。
【００２８】
また、濡らした軟質導電部２３を  握持部２１に、さらに確実に固定するために、図５に開示するように、木綿、もしくは不織布によってなる被覆布２３１で軟質導電部２３を被覆し、かつ被覆布２３１介して、軟質導電部２３を固定リング２１と握持部２１との間に固定してもよい。この場合、マッサージを施す際に軟質導電部２３が脱落することがない。
【００２９】
以上はこの考案の好ましい実施の形態であって、この考案の実施の範囲を限定するものではない。よって、当業者のなし得る変更、もしくは修正であって、この考案の精神の下においてなされ、この考案に対して均等の効果を有するものは、いずれもこの考案の実用新案登録請求の範囲に属するものとする。
【符号の説明】
【００３０】
１０                     理学療法用エネルギー発生装置
１１                     制御手段
１１１                  第１出力端
１１２                  第２出力端
１１３                  調整つまみ
１２                     第１導電手段
１３                     第２導電手段
１３１                  絶縁基部
２０                     マッサージ握持部
２１                     握持部
２１１                  減少スイッチ
２１２                  増大スイッチ
２１３                  握持端
２１４                  マッサージ端
２１５                  取付溝
２１６                  固定リブ
２２                     導電シート
２３                     軟質導電部
２３１                  被覆布
２４                     固定リング
３１                     ベッド
３２                     患者
３３                     理学療法士
【図１】
0003186084.tif 000003
【図２】
0003186084.tif 000004
【図３】
0003186084.tif 000005
【図４】
0003186084.tif 000006
【図５】
0003186084.tif 000007